(57)【要約】【課題】リモコン発信装置を介してレンジの電源とレンジフードの電源とを連動させることにより、より使い勝手の良いキッチン装置を提供する。【解決手段】キッチンキャビネット２にレンジ１が組み込まれていて、レンジフード３内部に換気扇が設けられているキッチン装置において、レンジ側部の空所４にホルダー部材６が取り付けられており、ホルダー部材６にはリモコン発信装置５が着脱自在に取り付けられていて、レンジフード３にはレンジフード受信部７ａが設けられていて、レンジ１の操作部における「ＯＮ」または「ＯＦＦ」の操作信号１００が、リモコン発信装置５に送信され、リモコン発信装置５からレンジフード受信部７ａに換気扇の電源が「ＯＮ」または「ＯＦＦ」になるリモコン信号２００が送られて、リモコン信号２００および操作信号１００の送受信が光信号によって行われることを特徴とするキッチン装置。【選択図】  図１
2005237423.tif 000002
【特許請求の範囲】
【請求項１】
キッチンキャビネットの上部に、操作部が設けられたレンジが組み込まれていて、レンジの上方にレンジフードが配設してあって、前記レンジフード内部に換気扇が設けられているキッチン装置において、
前記キッチンキャビネットの上部に備えられた前記レンジ側部の空所に、ホルダー部材が内装して取り付けられており、前記ホルダー部材には、前記レンジフードを操作するためのリモコン発信装置が着脱自在に取り付けられていて、
前記レンジフードの外面には前記リモコン発信装置から送信されるリモコン信号を受信するためのレンジフード受信部が設けられていて、
前記レンジの操作部を操作すると、操作信号が前記リモコン発信装置に自動的に送信され、前記リモコン発信装置が前記操作信号を受信すると、前記レンジフード受信部に前記リモコン発信装置から前記リモコン信号が自動的に送信されるものであって、
前記リモコン信号および前記操作信号の送受信は光信号によって行われ、
前記操作部において、電源を入れる操作を行うと前記リモコン発信装置から前記換気扇の電源を入れるリモコン信号が送信され、
前記操作部において、電源を切る操作を行うと前記リモコン発信装置から前記換気扇の電源を切るリモコン信号が送信されることを特徴とするキッチン装置。
【請求項２】
前記操作信号の送受信が電気信号によって行われるものであって、
前記リモコン信号の送受信が光信号によって行われるものであることを特徴とする請求項１記載のキッチン装置。
【発明の詳細な説明】
【技術分野】
【０００１】
本発明はレンジフード操作用のリモコン装置を組み込んだキッチン装置に関するものである。
【背景技術】
【０００２】
従来、レンジフード操作用のリモコン装置を組み込んだキッチン装置に関しては、特許文献１のようなものが知られている。
【０００３】
すなわち、キャビネットの上部にガスレンジを組み込んだ場合に生じるガスレンジ側部の空所に、ホルダー部材を内装して取り付け、該ホルダー部材にレンジフードを操作するためのリモコン発信装置が着脱自在に取り付けられていて、リモコン発信装置に設けられているスイッチを押圧して、レンジフードを操作するといったものである。
【特許文献１】特開２０００−２７４７６１号公報
【発明の開示】
【発明が解決しようとする課題】
【０００４】
しかし、特許文献１のものには以下のような事項が望まれている。
【０００５】
レンジフードの電源を入れてキッチンの換気を行いたい時には、リモコン発信装置のスイッチを押圧して、手動によって電源のＯＮ、ＯＦＦを行わなければならないが、レンジフードの電源を入れて、換気を行いたい場合というのは煙が充満してきた時、すなわち、レンジ使用中またはレンジ使用後である。このようにレンジフードを使う場面の多くが、レンジ使用中またはレンジ使用後であり、わざわざ手動でリモコン発信装置のスイッチを入れなくても、レンジフードを使用したい場面で自動的にレンジフードの電源が入ると便利である。
【０００６】
本発明は上記要望に鑑みてなしたもので、その目的はリモコン発信装置を介してレンジの電源とレンジフードの電源とを連動させることにより、より使い勝手の良いキッチン装置を提供することにある。
【課題を解決するための手段】
【０００７】
請求項１に係る発明のキッチン装置は、キッチンキャビネットの上部に、操作部が設けられたレンジが組み込まれていて、レンジの上方にレンジフードが配設してあって、前記レンジフード内部に換気扇が設けられているキッチン装置において、前記キッチンキャビネットの上部に備えられた前記レンジ側部の空所に、ホルダー部材が内装して取り付けられており、前記ホルダー部材には、前記レンジフードを操作するためのリモコン発信装置が着脱自在に取り付けられていて、前記レンジフードの外面には前記リモコン発信装置から送信されるリモコン信号を受信するためのレンジフード受信部が設けられていて、前記レンジの操作部を操作すると、操作信号が前記リモコン発信装置に自動的に送信され、前記リモコン発信装置が前記操作信号を受信すると、前記レンジフード受信部に前記リモコン発信装置から前記リモコン信号が自動的に送信されるものであって、前記リモコン信号および前記操作信号の送受信は光信号によって行われ、前記操作部において、電源を入れる操作を行うと前記リモコン発信装置から前記換気扇の電源を入れるリモコン信号が送信され、前記操作部において、電源を切る操作を行うと前記リモコン発信装置から前記換気扇の電源を切るリモコン信号が送信されることを特徴とする。
【０００８】
請求項２に係る発明のキッチン装置は、請求項１記載のキッチン装置において、前記操作信号の送受信が電気信号によって行われるものであって、前記リモコン信号の送受信が光信号によって行われるものであることを特徴とする。
【発明の効果】
【０００９】
請求項１に係る発明のキッチン装置によれば、レンジを操作した時に自動的にレンジフード内の換気扇が作動して、わざわざ手動でリモコン発信装置のスイッチを入れる手間を省くことができる。
【００１０】
また、レンジから操作信号がリモコン発信装置に送信され、リモコン発信装置からレンジフードにリモコン信号が送信されるように、レンジから直接レンジフードに操作信号を送信するのではなく、一旦リモコン発信装置を介してレンジフードに送信することにより操作信号が一箇所からのみ送られることになり、余計な送受信装置を多数設ける必要がない。
【００１１】
さらに、レンジの空所にホルダー部を設けて、該ホルダー部にリモコン発信装置が取り付けられていることにより、レンジとリモコン発信装置との距離が近くなり、レンジを操作した時に発する操作信号がリモコン発信装置に届き易くなる。
【００１２】
請求項２に係る発明のキッチン装置によれば、請求項１のキッチン装置において、操作信号の送受信が電気信号によって行われる。つまり、レンジとリモコン発信装置とが接続プラグで接続されているということである。よって、光信号を用いて送受信する時よりも簡単な装置でよく、設置の手間やコストを削減できる。レンジとリモコン発信装置が隣り合っているため接続プラグ同士の接続が容易であり、レンジとリモコン発信装置が接近しているという状態を有効に利用できるのである。
【発明を実施するための最良の形態】
【００１３】
以下、本発明を実施形態に基づいて説明する。
【００１４】
（実施形態１）
本発明を図１に例示したようなＩＨ式のキッチン調理器であるＩＨクッキングヒーターをレンジとして用いた場合について説明する。
【００１５】
キッチンの床面上に設置されているキッチンキャビネットの上部に、ＩＨクッキングヒーター１を配置する空間を設け、該空間にＩＨクッキングヒーター１が配設されている。該ＩＨクッキングヒーター１の上方にはレンジフード３が設けられている。また、ＩＨクッキングヒーター１を配設した時に生じたＩＨクッキングヒーター１側部の空所４にはレンジフード３を作動させるリモコン発信装置５が着脱自在にホルダー部材６に取り付けられている。さらに、レンジフード３の外面にはリモコン発信装置５のリモコン信号を受信するためのレンジフード受信部７ａを備えたレンジフード受信装置７が設けられている。
【００１６】
図２はホルダー部材６とリモコン発信装置５の平面図である。図２（ａ）はホルダー部材の平面図であり、図２（ｂ）はリモコン発信装置の平面図である。ホルダー部材６の形状としては、図２（ａ）に例示したように、使用者側の面が開口した凹部６ａを持った直方体の形状であることが好ましい。該凹部６ａにリモコン発信装置５を着脱自在に組み込ませることができる。凹部６ａはリモコン発信装置５の形状に従って決定することが好ましい。さらに、凹部６ａの使用者側にあたる開口面には、リモコン発信装置を着脱する時に、使用者の指を入れてリモコン発信装置を引掛けて着脱し易いように、指引掛け部６ｂが凹部６ａに併設して、ホルダー内部にえぐられた状態で設けられている。また、ホルダー部材６のＩＨクッキングヒーター１側にあたる側面にはＩＨクッキングヒーター１の操作信号１００を乗せた光信号（赤外線等）を通過させて、ホルダー部材６に取り付けられたリモコン発信装置５が操作信号を受信できるように、ホルダー部材の側面の一部分が切り取られた信号受信用開口部６ｃが設けられている。さらに、ホルダー部材６にリモコン発信装置５を取り付けた時に、リモコン発信装置５のレンジフード受信装置７へリモコン信号２００を送るリモコン送信部５ａが隠れて、赤外線等の操作信号１００の送信が妨げられないように、リモコン発信装置５のリモコン送信部５ａ近傍は開口されていることが好ましい。
【００１７】
図３はホルダー部材６の取り付け構造を示した外観図である。ホルダー部材６としてはＩＨクッキングヒーター１を設置した時に生じるＩＨクッキングヒーター１の側部の空所４に合わせて大きさを決めるとよい。また、ホルダー部材６はビス８等の公知の取り付け手段を利用して、空所４に留めつけるのが好ましい。空所４の床面と平行な幅がリモコン発信装置５を設置するだけの十分な幅である時には、ＩＨクッキングヒーター１とキャビネット２の側板との間にホルダー部材６を入り込ませて、ＩＨクッキングヒーター１および／またはキャビネット２の側板に公知の取り付け手段を用いて取り付ければよい。しかし、空所４の床面と平行な幅がリモコン発信装置５を設置するだけの十分な幅でないときには、図３のように、ＩＨクッキングヒーター１の一部に使用者側とキャビネットの側板側とに開口した切欠き部を形成し、該切欠き部にホルダー部材６を組み込ませて、ＩＨクッキングヒーター１およびキャビネット２の側板との２箇所にビス等の公知の取り付け手段を用いて取り付けるのがよい。以上のようなホルダー部材６の取り付け方法は、キャビネット２の側板が設置されていなかったり、側板がＩＨクッキングヒーター１と離れた位置にある時には、ＩＨクッキングヒーター１にのみビス８等の公知の取り付け手段を利用して取り付けることが好ましい。
【００１８】
リモコン発信装置５としては図２（ｂ）に例示したように、キャビネット２とＩＨクッキングヒーター１の空所４に入り込めるように、直方体形状のものであることが好ましい。リモコン発信装置５のＩＨクッキングヒーター１側にあたる側面には、リモコン受信部５ｂが設けられている。また、リモコン発信装置５の使用者側の面には、レンジフード受信装置５へリモコン信号１１を送信するリモコン送信部５ａと、手動でＯＮまたはＯＦＦの制御、さらにレンジフード３の換気扇の強弱を調節できるリモコン強弱スイッチ５ｃが設けてあることが好ましい。しかし、リモコン送信部５ａやリモコン強弱スイッチ５ｃは使い勝手によりリモコン発信装置５の任意の場所に設けても構わない。また、レンジフード３の照明を調節できるリモコン照明スイッチ５ｄを設けることもできる。
【００１９】
図１において、レンジフード３に備えられたレンジフード受信装置７は、レンジフード３の外面に突出して設けられている。該レンジフード受信装置７には、リモコン発信装置５から送信されたリモコン信号２００を受信するレンジフード受信部７ａが設けられている。該レンジフード受信部７ａは、リモコン発信装置５から送信されるリモコン信号１１を受信しやすくするために、床面を向いて設置されていることが好ましい。さらに、レンジフード受信装置５には手動で換気扇をＯＮまたはＯＦＦができて、強弱の調節ができる換気扇スイッチ７ｂを設けておくことが好ましい。
【００２０】
ここで、操作信号１００がＩＨクッキングヒーター１から送信され、リモコン発信装置５に受信され、リモコン発信装置５からリモコン信号１１が送信されてレンジフード３のレンジフード受信部７ａに受信されるまでの流れを図１および図４のブロック図、さらに図５のフローチャートを用いて説明する。
【００２１】
図１におけるＩＨクッキングヒーター１の操作部を操作すると、操作信号１００がリモコン発信装置５に送信され、リモコン発信装置５は操作信号１００をリモコン受信部５ｂで受信して、さらにリモコン送信部５ａからレンジフード受信装置７にリモコン信号２００が発信され、レンジフード受信部７ａでリモコン信号２００を受信して、レンジフード内の換気扇が制御される。
【００２２】
図４においては、ＩＨクッキングヒーター１（調理器）内に、ヒータ１１と操作部１２とが設けられていて調理器制御部１３で制御されている。調理器制御部１３は調理器出力部１４に繋がっており、操作部１２を操作すると調理器制御部１３を介して調理器出力部１４から操作信号１００が発信される。次いで、リモコン発信装置５には、リモコン（強弱、照明）スイッチ５１とリモコン受信部５ｂとが設けられていて、ＩＨクッキングヒーター１から発せられた操作信号１００は、リモコン受信部５ｂに入力され、リモコン制御部５２を介してリモコン送信部５ａからレンジフード受信装置７に向けて発信される。次いで、レンジフード受信装置７にはレンジフード受信部７ａとレンジフード操作部７１とが備えられていて、リモコン送信部５ａから発信されたリモコン信号２００はレンジフード受信部７ａに受信される。受信されたリモコン信号２００はレンジフード制御部７２を介してレンジフード内の換気扇の駆動モータ７３に送られて駆動モータが回転または停止し、駆動モータ７３に備えられたファン７４が回転または停止する。
【００２３】
図５の制御のフローチャートによれば、始めに調理器（ここではＩＨクッキングヒーター１をこのように呼ぶ）における操作部の操作（Ｓ１０１）があった場合、次いで調理器の状態が「ＯＮ」または「ＯＦＦ」（Ｓ１０２）のどちらかによって操作信号の流れが分かれる。
【００２４】
まず、「ＯＮ」の調理器操作をした場合、調理器から「ＯＮ」信号がリモコン発信装置５に発信され（Ｓ１０３）、リモコン発信装置には「ＯＮ」信号が入力され、同時に「ＯＮ」信号がレンジフード受信部７ａに発信される（Ｓ１０４）。レンジフード受信部７ａに「ＯＮ」信号が入力される（Ｓ１０５）とレンジフード内の換気扇の駆動モータが動いているか、止まっているかにより、リモコン信号２００の流れが分かれる（Ｓ１０６）。換気扇の駆動モータが動いている場合はそのままの状態を維持する信号を送信し、換気扇の駆動モータが止まっている場合には駆動モータを動かせる「ＯＮ」信号を送る（Ｓ１０７）。
【００２５】
次に、「ＯＦＦ」の調理器操作をした場合（Ｓ１０２）、調理器から「ＯＦＦ」信号がリモコン発信装置に発信され（Ｓ１０８）、リモコン発信装置には「ＯＦＦ」信号が入力され、同時に「ＯＦＦ」信号がレンジフード受信部に発信される（Ｓ１０９）。レンジフード受信部に「ＯＦＦ」信号が入力される（Ｓ１１０）とレンジフード内の換気扇の駆動モータが動いているか、止まっているかにより、リモコン信号２００の流れが分かれる（Ｓ１１１）。換気扇の駆動モータが止まっている場合はそのままの状態を維持する信号を送信し、換気扇の駆動モータが動いている場合には駆動モータを止まらせる「ＯＦＦ」信号を送る。
【００２６】
以上の如きキッチン装置は、キッチン調理器にＩＨ式のクッキングヒーター１を使用した例を用いて説明したが、ＩＨクッキングヒーター１の代わりにガスレンジを用いてもよい。
【００２７】
（実施形態２）
図６は他の実施形態を示した図である。図６（ａ）はホルダー部材の平面図であり、図６（ｂ）はリモコン発信装置の平面図である。
【００２８】
ホルダー部材６は実施形態１と同様に使用者側の面が開口した凹部６ａを持った直方体の形状であって、該凹部６ａにリモコン発信装置５を着脱自在に組み込ませることができる。また、凹部６ａはリモコン発信装置５の形状に従って決定することが好ましい。さらに指引掛け部６ｂが凹部６ａに併設して、ホルダー内部６にえぐられた状態で設けられている。ここで、本実施形態では、ホルダー部材６のＩＨクッキングヒーター１側にあたる側面にはＩＨクッキングヒーター１側およびホルダー部材６内部に向けてリモコン発信装置用接続プラグ９が突出して設けられている。また、ホルダー部材６に取り付けられたリモコン発信装置５のＩＨクッキングヒータ１側には接続端子５ｅが設けられていて、該接続端子５ｅはホルダー部材６内部に突出しているリモコン発信装置用接続プラグ９と接触した状態にある。このような状態においては、ＩＨクッキングヒータ１から送信された操作信号１００が、リモコン発信装置用接続プラグ９を通って電気信号として直接リモコン発信装置５に送られる。そのため、操作信号１００に光信号（赤外線等）を用いた時よりも簡単な構造で操作信号１００を送ることができるのである。
【００２９】
リモコン発信装置用接続プラグ９としては、金属製で電気を送りやすい材質のものであるとよい。また、ＩＨクッキングヒータ１側のリモコン発信装置用接続プラグ９はＩＨクッキングヒータ１内の発信装置に直接接続されているが、ホルダー部材６内部に突出したリモコン発信装置用接続プラグ９は、リモコン発信装置５を着脱の衝撃によって破損しないように、表面が滑らかな形状であって、バネ材によって突出部がホルダー部材６側面に引っ込んだり、出っ張ったりする構造であるとよい。バネ材としてはリモコン発信装置用接続プラグ９とは別の部材を用いてもよいし、リモコン発信装置用接続プラグ９自体の金属の撓りをバネとして利用してもよい。
【００３０】
本実施形態のリモコン発信装置５からレンジフード受信部７ａに送信されるリモコン信号は実施形態１と同様に光信号（赤外線等）によるものである。また、ＩＨクッキングヒーター１の操作部を操作してからレンジフード３内の換気扇が制御されるまでの流れは実施形態１と同様である。
【図面の簡単な説明】
【００３１】
【図１】本発明の実施形態のキッチン装置の外観図である。
【図２】本発明の実施形態におけるホルダー部材およびリモコン発信装置を示した平面図である。
【図３】本発明の実施形態のホルダー部材の取り付け構造を示した外観図である。
【図４】本発明のキッチン装置の制御体系を示したブロック図である。
【図５】本発明のキッチン装置の操作の流れを示したフローチャートである。
【図６】本発明の他の実施形態を示した平面図である。
【符号の説明】
【００３２】
１．ＩＨクッキングヒーター（レンジ）
２．キッチンキャビネット
３．レンジフード
４．空所
５．リモコン発信装置
５ａ．リモコン送信部
５ｂ．リモコン受信部
５ｃ．リモコン強弱スイッチ
５ｄ．リモコン照明スイッチ
５ｅ．接続端子
６．ホルダー部材
６ａ．凹部
６ｂ．指引掛け部
７．レンジフード受信装置
７ａ．レンジフード受信部
７ｂ．換気扇スイッチ
９．リモコン発信装置用接続プラグ
１００．操作信号
２００．リモコン信号
【図１】
2005237423.tif 000003
【図２】
2005237423.tif 000004
【図３】
2005237423.tif 000005
【図４】
2005237423.tif 000006
【図５】
2005237423.tif 000007
【図６】
2005237423.tif 000008